(57)【特許請求の範囲】
【請求項１】
噴霧ヘッド（1a'、2a'、1b'、2b'、1''、1'''、1''''2''''）を具備し、該噴霧ヘッドは大きな浸透能力を有する微細に分割された流体ミストの形態の消火媒体を生成することができそして噴霧ヘッド付近における同時的吸引の能力のあるようなタイプのものである、空間（100）において消火するための装置において、該噴霧ヘッド（1a'、2a'、1b'、2b'、1''、1'''、1''''2''''）が該部屋の床レベル（24）から１〜10mの距離のところに吸引開口（67a'、67b'）及び該床レベル付近に噴霧開口（45a'、45b'）を有するパイプ（3a'、3b'、3''、3'''、3''''）に配置されており、該噴霧ヘッドは該吸引開口から該噴霧開ロへの方向に噴霧して該吸引開口において吸引を生じるように配置されていることを特徴とする装置。
【請求項２】
該パイプはパイプシステム（3a'、3''、3'''、3''''）の一部を構成し、該パイプシステムは、少なくとも本質的に床（24）に沿って該パイプシステムからミストの形態で消火媒体を噴霧するための複数の噴霧開口（45a'、45''、45'''、45''''）と、煙ガスを該パイプシステムに吸引させるための複数の吸引開口（67a',67'',67''',67''''）を具備し、該パイプシステムは、第１の細長いパイプ区域（910a',910a'',910a''',910a''''）及び第２の細長いパイプ区域（811a',811a'',811a''',811a''''）及び該第１の細長いパイプ区域を該第２の細長いパイプ区域と接続する中間パイプ区域域と接続する中間パイプ区域（12a',13a',13a'',13a''',12a''''、13a''''）を有し、該噴霧開口（45a'、45''、45'''、45''''）は該第２の細長いパイプ区域（811a',811a'',811a''',811a''''）においてその長手方向に配置されており、そして該吸引開口（67a',67'',67''',67''''）は該第１の細長いパイプ区域（910a',910a'',910''',910''''）においてその長手方向に配置されており、該第２の細長いパイプ区域（811a',811a'',811a''',811a''''）は該空間の床レベル（24）の付近に配置されそして該第１の細長いパイプ区域（910a',910a'',910a''',910a''''））は床レベル（24）より１〜10m上の距離の所に配置されていることを特徴とする請求の範囲１に記載の装置。
【請求項３】
該第１の細長いパイプ区域（910a',910a'',910a''',910''''）は該第２の細長いパイプ区域（811a',811a'',811a''',811a''''）に対して少なくとも本質的に平行に向けられていることを特徴とする請求の範囲２に記載の装置。
【請求項４】
該装置は更なるパイプシステム（3b'）を具備し、該パイプシステム（3b'）は、少なくとも主として床（24）に沿って該パイプシステムからミストの形態で消火媒体を噴霧するための複数の噴霧開口（45b'）と、複数の吸引開口（67b'）を具備し、該更なるパイプシステムは、第１の細長いパイプ区域（910b'）及び第２の細長いパイプ区域（811b'）及び該第１の細長いパイプ区域を該第２の細長いパイプ区域と接続する中間パイプ区域（12b'、13b'）を有し、該噴霧開口（45b'）は該第２の細長いパイプ区域（811b'）においてその長手方向に配置されそして該吸引開口（67b'）は該第１の細長いパイプ区域（910b'）においてその長手方向に配置されており、該第２の細長いパイプ区域（811b'）は該部屋の床レベル（24）付近に配置されそして該第１の細長いパイプ区域（910b'）は該床レベルから１〜10m上の距離のところに配置されていることを特徴とする請求の範囲２に記載の装置。
【請求項５】
該第１の細長いパイプ区域（910b'）が該第２の細長いパイプ区域（811b'）に対して少なくとも本質的に平行に向けられていることを特徴とする請求の範囲４に記載の装置。
【請求項６】
該更なるパイプシステム（3b'）は、パイプシステム（3a',3b'）が部屋（100）の対向する壁の付近に配置されるようなパイプシステム（3a'）からの距離のところに配置されていることを特徴とする請求の範囲４に記載の装置。
【請求項７】
該装置は更に床下張り（23）に配置されたパイプネット（３）を具備し、少なくとも１つの噴霧ヘッド（１、２）が該パイプネット中にミストの形態で消火媒体を噴霧するように該パイプネットに配置されており、該パイプネットは、該パイプネットからミストを噴霧するための噴霧開口（４、５）と該パイプネットにヒューム及び煙ガスを吸引するための吸引開口（６、７）であって該噴霧開口から該吸引開口に向けて消火媒体の流れを生成させるための吸引開口（６、７）を具備し、該パイプネットは第１の細長いパイプ部分（910）と第２の細長いパイプ部分（811）と、該第１の細長いパイプ部分を該第２の細長いパイプ部分と接続する中間パイプ部分（12、13）を有し、該第１の細長いパイプ部分は該第２の細長いパイプ部分に対して少なくとも本質的に平行に向けられており、そして該噴霧開口と該吸引開口は該細長いパイプ部分において該細長いパイプ部分の長手方向に配置されていることを特徴とする床下張り（23）を有する部屋（100）のための請求の範囲１に記載の装置。
【請求項８】
該噴霧ヘッド（１、２）が該中間パイプ部分（12、13）に配置されていることを特徴とする請求の範囲７に記載の装置。
【請求項９】
該パイプネット（３）が長方形であり、該中間パイプ部分は、第１中間パイプ部分（12）及び第２中間パイプ部分（13）を具備し、該中間パイプ部分（12、13）は本質的に平行でありそして互いに離れて配置されており、該噴霧ヘッド（１）は該第１中間パイプ部分（12）に配置されていること、及び該装置は更なる噴霧ヘッド（２）を具備し、該噴霧ヘッド（２）は、大きな浸透能力を有する微細に分割された液体ミストの形態の消火媒体を生成することができそして該更なる噴霧ヘッド（２）の付近における同時的吸引の能力のあるようなタイプのものであり、該更なる噴霧ヘッドは該第２中間パイプ部分（13）に配置されていることを特徴とする請求の範囲７又は８に記載の装置。
【請求項１０】
該第１の細長いパイプ部分（910）は、噴霧開口（５）及び吸引開口（６）の両方を具備し、該噴霧開口は該第１の細長いパイブ部分の第１区域（９）に配置されそして該吸引開口は該第１の細長いパイプ部分の第２区域（10）に配置されており、そして該第２の細長いパイプ部分（811）は噴霧開口（４）及び吸引開口（７）の両方を具備し、該噴霧開口は該第２の細長いパイプ部分の第１区域（８）に配置されておりそして該吸引開口は該第２の細長いパイプ部分の第２区域（11）に配置されており、該第１の細長いパイプ部分の該噴霧開口は該中間パイプ部分（12、13）に対して少なくとも本質的に平行に該第２の細長いパイプ部分の該吸引開口に向けて噴霧するように配置されており、そして該第２の細長いパイプ部分の噴霧開口は該中間パイプ部分に対して少なくとも本質的に平行な方向に該第１の細長いパイプ部分の該吸引開口に向けて噴霧するように配置されていることを特徴とする請求の範囲９に記載の装置。
【請求項１１】
該第１の細長いパイプ部分（910）、前記パイプシステム（3a'）の第２の細長いパイプ区域（811a'）及び第１の細長いパイプ区域（910a'）は、床（24）の面に対して本質的に横断方向にある少なくとも本質的に同じ面内にあるように配置されており、そして該第２の細長いパイプ部分（810）及び前記更なる細長いパイプシステム（3b'）の第２の細長いパイプ区域（811b'）及び第１の細長いパイプ区域（910b'）は、床（24）の面に対して少なくとも本質的に横断方向の少なくとも本質的に同じ面内にあるように配置されていることを特徴とする請求の範囲７に記載の装置。
【請求項１２】
該パイプシステム（3a'）が長方形であり、該中間パイプ区域が第１中間パイプ区域（13a'）及び第２中間パイプ区域（12a'）を含んで成り、該パイプ区域（12a',13a'）は本質的に平行でありそして互いに離れて配置されており、噴霧ヘッド（1a'）は該第１の中間パイプ区域（13a'）に配置されており、そして該装置は、更なる噴霧ヘッド（2a'）を具備し、該噴霧ヘッド（2a'）は、大きな浸透能力を有する微細に分割された液体ミストの形態の消火媒体を発生させることができそして該更なる噴霧ヘッド（2a'）付近における同時的吸引の能力のあるようなタイプのものであり、該更なる噴霧ヘッドは該第２の中間パイプ区域（12a'）に配置されていることを特徴とする請求の範囲３又は11に記載の装置。
【請求項１３】
該パイプシステム（3a',3b'）の噴霧ヘッド（1a'、2a'、1b'、2b'）及び該パイプネット（３）の噴霧ヘッド（１、２）は液圧式アキュムレータ（15、15'）を含んで成る駆動ユニット（14）に接続されていることを特徴とする請求の範囲７に記載の装置。
【請求項１４】
該液圧式アキュムレータ（15、15'）は、消火液のための空間と推進剤のための空間を有する少なくとも１つの圧力容器（16a、16b、16'）を具備することを特徴とする請求の範囲13に記載の装置。
【請求項１５】
ガス源（21、21'）が、該容器に推進剤ガスを与えるように圧力容器（16a、16b、16'）に結合されていることを特徴とする請求の範囲14に記載の装置。
【請求項１６】
該圧力容器（16a、16b、16'）中の消火液が水をベースとする液体であり、そして該ガス源が不燃性ガスを有する圧カボトル（21、21'）により形成されることを特徴とする請求の範囲15に記載の装置。
【請求項１７】
該ガスボトルが30〜300バールの圧力となるように詰められた窒素ボトル（21、21'）であることを特徴とする請求の範囲16に記載の装置。
【請求項１８】
パイプシステム（3a'、3b'）のための液圧式アキュムレータ（15'）が立ち上がり管（17'）を有する圧力容器（16'）を具備し、該立ち上がり管（17'）は該立ち上がり管及び更に該パイプシステムの噴霧ヘッド（1a'、2a'、1b'、2b'）に消火液を供給するための少なくとも１つの側部開口及び該圧力容器の下部に位置した供給開口（19'）を備えており、該少なくとも１つの側部開口より下の区域における立ち上がり管（17'）はスロットル（20'）を有することを特徴とする請求の範囲17に記載の装置。
【請求項１９】
パイプネット（３）の噴霧ヘッド（１、２）は、パイプシステム3a'、3b'）のための液圧式アキュムレータ（15'）とは別のそして２つの圧カボトル（16a、16b）を具備する液圧式アキュムレータ（15）により作動されるように配置されており、該２つの圧カボトルの１つ（16a）はその液体内容物を該パイプネットの噴霧ヘッド（１、２）に通じる外側供給パイプ（110）へと完全に空にするように配置されており、その後他方の圧カボトル（16b）は、ガスボトルからの推進剤ガスが外側供給パイプに同時に供給されて微細に分割された液体ミストを得るように空にされるように配置されていることを特徴とする請求の範囲18に記載の装置。
【請求項２０】
床張りに配置されるパイプネット（３）を具備し、パイプネットが、パイプネットに配置された、消火媒体を微小ミストの形態に生成でき、同時に噴霧ヘッドの近くで吸引することができるタイプのものである、少なくとも１つの噴霧ヘッドを有し、パイプネットが、パイプネットの外にミストを噴霧する噴霧開口（４、５）と、パイプネット内に、ヒューム及び煙ガスを吸引する吸引開口とを有し、噴霧開口から吸引開口への消火媒体の流れを生成することを特徴とする、空間、特に床張り（23）における消火のための設備。
【請求項２１】
パイプネットが、第１の細長いパイプ部分（910）と第２の細長いパイプ部分（811）と、第１の細長いパイプ部分（910）を第２の細長いパイプ部分（811）に連結する中間パイプ部分（12、13）を含み、該噴霧開口及び該吸引開口が、細長いパイプ部分の長手方向で、細長いパイプ部分（910、811）に配置されている請求の範囲20に記載の設備。
【請求項２２】
該第１の細長いパイプ部分（910）が、該第２の細長いパイプ部分（811）に少なくとも本質的に平行に配置されている請求の範囲21に記載の設備。
【請求項２３】
噴霧ヘッド（１、２）が中間パイプ部分（12、13）内に配置されている請求の範囲21に記載の設備。
【請求項２４】
該パイプネット（３）が矩形であり、中間パイプ部分が、第１の中間パイプ部分（12）と第２の中間パイプ部分（13）とを有し、該パイプ部分が本質的に平行であり、相互に所定の距離を置いて位置されており、噴霧ヘッド（１）が、第２の中間パイプ部分内に配置されており、更に、大きな浸透能力を備えた、細かく分散された液体ミストの形態の消火媒体を生成することができ、付近を吸引することができる第２の噴霧ヘッド（２）を具備し、第２の噴霧ヘッドが、該第２の中間パイプ部分内に配置されている請求の範囲20〜23のいずれか１に記載の設備。
【請求項２５】
第１の細長いパイプ部分（910）が、噴霧開口（５）及び吸引開口（６）の双方を具備し、その噴霧開口が、第１の細長いパイプ部分の第１の区域（９）に配置されており、その吸引開口が、第１の細長いパイプ部分の第２の区域（10）に配置されており、第２の細長いパイプ部分（811）が、噴霧開口（４）及び吸引開口（７）の双方を具備し、その噴霧開口が、第２の細長いパイプ部分の第１の区域（８）に配置されており、その吸引開口が、第１の細長いパイプ部分の第２の区域（11）に配置されており、これによって、第１の細長いパイプ部分の噴霧開口が、中間パイプ部分（12、13）に少なくとも本質的に平行な方向で、第２の細長いパイプ部分の吸引開口の方に噴霧するように配置されており、第２の細長いパイプ部分の噴霧開口が、中間パイプ部分（12、13）に少なくとも本質的に平行な方向で、第１の細長いパイプ部分の吸引開口の方に噴霧するように配置されている請求の範囲24に記載の設備。
【請求項２６】
該パイプネットの少なくとも１つの噴霧ヘッド（１、２）が、液圧アキュムレータを備えた駆動ユニットに連結されている請求の範囲20〜25のいずれか１に記載の設備。
【請求項２７】
該液圧アキュムレータが、30〜300バールの圧力が充填されたガスボトル（21）を具備する請求の範囲26に記載の設備。
【発明の詳細な説明】
本発明は、空間における火災を消火するための装置であって、噴霧ヘッドを具備し、該噴霧ヘッドは、大きな浸透能力（penetrating  ability）を有する微細に分割された液体ミストの形態にある消火媒体を生成させることができそして該噴霧ヘッド付近における同時的吸引（simultaneous  suction）の能力のあるようなタイプの噴霧ヘッドである。
このような装置は、国際公開WO92/20453、WO92/22353及びWO94/16771から知られる。これらの既知の装置は、消火のために非常に良く機能することが証明された。消火液の液滴寸法があまりにも大きくなるのを防止するために、消火液にガスを混合する装置が国際公開WO94/08659に開示されている。ガスの混合の結果として、液圧式アキュムレータの空化（emptying）期間中液滴寸法を比較的小さく保つことが可能であった。
コンピュータ及び他の機械のための部屋のような或る空間は、高価な機械の他に、火災の場合に大きな損害を引き起こす電線の束を含む。電線は、典型的PVCのプラスチック外被（mantle）である。子のような部屋で火災が発生しそして電線に火がつくと、有毒なヒュームが形成されそしてこれらのヒュームは人間に対して危険であるのみならずコンピュータのような鋭敏な機械を破壊する。このような火災を消すための既知の装置は、少量の水で火災を迅速に消火することはできない。消火のために水をベースとする消火媒体以外のもの、例えばハロゲンを使用すると、環境に有害な化学物質が生成し、従って水をベースとする消火媒体が好ましい。消火のために使用される水の量は大きくないことが重要である。何故ならばそうすれば水の被害を少なくすることができるからである。
本発明は、所望により簡単な構造を有し、そして煙ガス（smoke  gases）及びヒューム（fumes）は清浄化されそして使用される消火液の量は同時に非常に少なくすることができるように空間、例えば部屋の中の火災を非常に有効に消火することができる新規な装置に関する。
この目的で、本発明に従う装置は、空間の床レベルから１〜10mの距離のところに吸引開口を有しそして床レベル付近に噴霧開口を有するパイプに噴霧ヘッドが配置されており、該噴霧ヘッドは吸引開口から噴霧開口への方向に噴霧して吸引開口において吸引を生じさせるように配置されている。
より大きい空間においてより良好な効果を達成するために、該パイプは好ましくはパイプシステムの一部を構成し、該パイプシステムは少なくとも本質的に床に沿って該パイプシステムからミストの形態で消火媒体を噴霧するための複数の噴霧開口及び複数の吸引開口を含んで成り、この更なるパイプシステムは第１の細長いパイプ区域（elongated  pipe  section）及び第２の細長いパイプ区域、及び該第１の細長いパイプ区域を該第２の細長いパイプ区域と接続する中間パイプ区域を有し、該噴霧開口は第２の細長いパイプ区域においてその長手方向に配置されており、そして該吸引開口は第１の細長いパイプ区域においてそのその長手方向に配置されており、第２の細長いパイプ区域は部屋の床レベル付近に配置され、該第１の細長いパイプ区域は床レベルから１〜10mの距離のところに配置されている。
大きな空間においては、該装置は、好ましくは上記パイプシステムから離れて配置された更なるパイプシステムを含み、このパイプシステムは空間の対向する壁の付近に配置されている。ヒュームは、結果として、該空間においてヒュームの混合（intermixing）が起こることなく有効に吸引される。床下張り（subfloor）を有する部屋における煙吸引及び火災消火を達成するために、該装置は更に床下張りに配置されたパイプネット（pipe  net）を具備し、該パイプネット中にミストの形態の消火媒体を噴霧するために少なくとも１つの噴霧ヘッドが該パイプネットに配置されており、該パイプネットは該パイプネットからミストを噴霧するための噴霧開口と該パイプネットにヒュームを吸引するため及び噴霧開口から吸引開口に向けて消火媒体の流れを生成させるための吸引開口を具備し、該パイプネットは第１の細長いパイプ部分と第２の細長いパイプ部分と、該第１の細長いパイプ部分を該第２の細長いパイプ部分と接続する中間パイプ部分を有し、該第１の細長いパイプ部分は該第２の細長いパイプ部分に対して少なくとも本質的に平行に向けられており、そして該噴霧開口と該吸引開口は該細長いパイプ部分において該細長いパイプ部分の長手方向に配置されている。
本発明の好ましい態様は請求の範囲２〜19に記載されている。
本発明に従う最も大きな利点は、簡単な装置で火災を消火することが可能でありそして同時にヒュームが有効に清浄化されることである。該装置は、非常に少量の消火液を使用することにより“環境に優しい”方法で火災を消火することも可能とし、これは材料の被害を最小にするであろう。
以下に、本発明を添付図面を参照して更に詳細に説明する。
第１図は本発明の好ましい態様を示し、
第２図は第１図の駆動ユニットを更に詳細に示し、
第３図は第２図の詳細を示し、そして
第４図は本発明の詳細部の別の解決方法を示す。
第１図において番号100は本発明に従う消火装置を備えた部屋を示す。示された部屋100は、コンピュータ101、102のために意図した部屋でありそして部屋の床下張り23への開口103〜105を有する部屋であるが、この部屋は一般にいかなる種類の部屋であってもよい。床下張り23は、コンピュータ101、102及び他の機械（示されていない）のための多数のケーブル（示されていない）を含む。開口103〜105は、コンピュータ101、102へのケーブルのために意図しておりそしてコンピュータに冷却空気を与えることを意図している。本発明は、ヒューム及び／又は水により被害を受ける高価な機械を有する部屋に使用するのに特に適している。参照番号200及び300は、部屋100の天井近くに配置された感熱性スプリンクラを示す。これらのスプリンクラは、大きな浸透能力又は勢い（great  penetrating  ability  or  momentum）を有する微細に分割された液体ミストの形態の消火媒体を発生することができそして噴霧ヘッド付近における同時的吸引の能力のあるようなタイプであることが好ましい。浸透能力により、消火媒体は火災の場所に到達することができる。このようなスプリンクラは国際公開WO92/20453、WO92/22353及びWO94/16771に記載されている。
上記装置は、部屋100の端壁に床下張り23より上に互いに離れて配置された２つの長方形パイプシステム3a'、3b'を含んで成る。スプリンクラ200及び300と同じタイプの噴霧ヘッド1a'、2a'、1b'、2b'、即ち、大きな圧力下に、大きな浸透能力を有する微細に分割された液体ミストの形態の消火媒体を生成することができそして噴霧ヘッド付近における同時的吸引の能力のある噴霧ヘッドが該パイプシステムに配置されている。好ましくは、噴霧ヘッド1a'、2a'、1b'、2b'は、国際公開WO92/20453、WO92/22353及びWO94/16771に記載されているタイプのものである。
パイプシステム3a'は、第１の細長いパイプ区域910a'、第２の細長いパイプ区域811a'、及び中間のパイプ区域12a'及び13a'を含んで成り、該中間のパイプ区域12a'及び13a'は第１及び第２の細長いパイプ区域を接続しそして該中間のパイプ区域にはそれぞれの噴霧ヘッド1a'及び2a'が配置されている。第２の細長いパイプ区域811a'は例えば３〜５個の複数の噴霧開口45a'を有し、そして第１の細長いパイプ区域910a'は例えば３〜10個の複数の吸引開口67a'を有する。噴霧開口45a'はパイプ区域811a'の長手方向に配置されており、吸引開口67a'はパイプ区域910a'の長手方向に配置されている。吸引開口67a'の機能はヒュームをパイプネット3a'に吸引することである。
パイプ区域811a'は、本質的に床の方向に液体ミストを噴霧するように床面24のすぐ上に配置されている。パイプ区域910a'は床レベル24より約3m上の距離のところに配置されている。この距離は勿論用途に依存して変えることができる。パイプ区域811a'と910a'間の約１〜5mの距離は、実際に起こる用途の大部分にたいして良好な結果を生じるが、この距離は、部屋が非常に高い場合には約10mまでとすることができる。パイプ区域910a'及び811a'は、本質的に床面24を横断する本質的に同じ面内に配置されている。
パイプ区域811a'、910a'はプラスチックから作られており、そして例えば100〜150mmの直径を有することができる。噴霧開口及び吸引開口の直径は好ましくは５〜40mmである。
パイプシステム3b'はパイプシステム3a'と同様に構成されており、そしてパイプシステム3a'が部屋の壁及び床レベルに対して配置されているのと同じように、部屋の壁及び床レベルに対して配置されている。対応する部品は、参照記号において文字“a"が文字“ｂ）により置き換えられていることを除いては、対応する参照記号で示された。パイプシステム3b'はパイプシステム3a'と同じように機能する。
参照番号３により一般的に示された長方形パイプネットは、部屋100の床下張り23に配置されており、床下張りの上部レベル24は長点線により示されている。噴霧ヘッド1a'、2a'、1b'、2b'と同じタイプの２つの噴霧ヘッド１、２がパイプネット３に配置されている。
パイプネット３は、第１の細長いパイプ部分910及び第２の細長いパイプ部分811を含んで成る。パイプ部分910は、本質的にパイプ区域910a'及び811a'と同じ面内に配置されており、パイプ部分811は本質的にパイプ区域910b'及び811b'と同じ面内に配置されている。パイプ部分910、811の直径は、例えば100〜150mmであることができ、そしてそれらはプラスチックから作られている。パイプ部分910、811はそれらの端部で第１中間パイプ部分12及び第２中間パイプ部分13と接続されており、該第１中間パイプ部分12には噴霧ヘッド１が配置されており、該第２中間パイプ部分13には噴霧ヘッド２が配置されている。噴霧ヘッド１及び２はそれぞれパイプ部分12及び13の中央部に配置されているが、それらはパイプネット３において他のどこかに配置されてもよいことは考えられ得る。噴霧ヘッド１及び２は反対の方向に噴霧するように配置されており、従って噴霧ヘッド１はパイプ部分811に向けて噴霧し、これに対して噴霧ヘッド２はパイプ部分910に向けて噴霧する。第１パイプ部分910は４つの噴霧開口５及び４つの吸引開口６を有している。パイプ部分910における噴霧開口５はプラグ106により吸引開口６から分離されている。第２パイプ部分811は対応して４つの噴霧開口４及び４つの吸引開口７及びプラグ107を有している。噴霧開口４は吸引開口６に向けて消火媒体を噴霧するように配置されている。噴霧開口５は吸引開口７に向けて消火媒体を噴霧するように配置されている。噴霧開口４、５及び吸引開口６、７の直径は、例えば、開口４〜７の数及び用途に依存して好ましくは５〜40mmである。
スプリンクラ200、300、噴霧ヘッド1a'、2a'、1b'、3b'及び噴霧ヘッド１、２に消火媒体を供給するための駆動源として、本装置は参照番号14により示される駆動ユニットを含んで成り、該駆動ユニットは液圧式アキュムレータ15、15'を含んで成り、液圧式アキュムレータは15、15'は各々50lの容積をもつ３つの圧力容器16'及び各々10lの容積をもつ２つの圧力容器16a、16bから成る。圧力容器16'、16a、16bは水をベースとする液体、即ち、添加剤を伴う又は伴わない水から成る消化液を含む。圧力容器は該容器の空化（emptying）及び消火の開始の前に約80％に充填される。圧力容器の数及び寸法は部屋100の用途及び寸法に依存して変わりうる。大きな部屋の場合には、圧力容器は通常大きな容積を持つことが必要である。圧力容器1a、16bの容積は、例えば、より小さな部屋の場合には半分の寸法であることができる。
それぞれ、スプリンクラ200、300及び噴霧ヘッド1a'、2b'及び噴霧ヘッド１、２に消火媒体を与える圧力容器16'、16a、16bは、導管108を通して50lの容積を持つガスボトル21に接続されている。圧力容器16'は、それぞれの立ち上がり管17'を備えている。ガスボトル21の容積は部屋100の容積及び他のファクターに基づいて選ばれる。ガスは200バールの圧力を有する窒素ガスである。異なる圧力のガスボトル21を使用することができ、圧力は消火の開始前に典型的には100〜300バールである。窒素を使用することの利点は、消化液のための適当な重量が得られ、それにより消化液は最初床に溜まる（settle）ことができ、その後消火媒体のガス成分は後に上昇することができ、かくして部屋100の中の酸素含有率を減少させ、このようにして火災を消火するか又は少なくとも火災を制御下に保つことができるということである。窒素ガスの代わりにアルゴン又は二酸化炭素のような他の不燃性ガスを使用することができる。
参照番号115は逆止め弁を示し、逆止め弁115は、媒体が左側の２つの圧力容器16'の立ち上がり管17'を経由して最も右側の圧力容器16'に流れるのを阻止するが、媒体の反対向きの流れを許容する。第２図参照。
駆動ユニット14が第２図においてもっと詳細に説明される。第３図は第２図の詳細を示す。圧力容器16'の立ち上がり管17'は下部に３つの側部開口18'を含んで成り、立ち上がり管の約70％は該側部開口より上に位置しそして約30％は該側部開口より下に位置している。立ち上がり管17'の底部には供給開口19'がある。
立ち上がり管17'の下部はスロットル20'により狭小化されている（contracted）ことは、拡大した立ち上がり管17'の下部を示す第３図から明らかである。スロットル20'は、立ち上がり管17'の下部において立ち上がり管17'の側部開口18'より下に形成されている。スロットル20'は立ち上がり管17'における絞り（constriction）により形成される。この絞りは直径d2＝0.5mmの開口を形成し、これに対して立ち上がり管17'の公称直径d1は典型的には８〜15mmの範囲である。スロットル20'は好ましくは直径d2＝0.2〜4mm、最も好ましくは0.3〜2mmを有する。スロットル20'に対する直径d2の選択は、多くのファクター、例えば、噴霧ヘッド200、300、1a'、2a'、2b'のタイプ、噴霧ヘッドの数、ガスボトル21における推進剤圧力、ガスのタイプ、立ち上がり管17'の直径d1、側部開口18'の寸法及び数、装置の意図する用途、即ち、消火されるべき火災のタイプに依存する。
圧力容器16a、16bはガス供給パイプ120a、120bを具備し、それらの内容（contents）はガスボトル21からのガスを圧力容器に供給するための導管108に接続されている。
参照番号122は、流体が圧力容器16bからガスボトル21に又は圧力容器16aに流れるのを防止する逆止め弁を示す。
使用の前、即ち消火の開始の前に、圧力容器16aは水で満たされる。ガス供給パイプ120aの出口（outlet  mouth）121aは圧力容器16aの底部の開口130aから十分に大きな距離、例えば約20又は30センチメートルのところに配置されており、水は開口130aを通して圧力容器から外側供給パイプ110に運ばれ、該外側供給パイプ110は噴霧ヘッド１、２に通じている。恐らく少なくとも約4cmの最小距離が必要とされる。圧力容器16aの水が空になる前にガスが開口130aに流れないように、該距離が必要とされる。噴霧ヘッド１、２に通じる外側供給パイプ110に通じるダクトが131aにより示される。
圧力容器16bはそれが空にされる（emptied）前に水で約80％まで満たされている。第２図参照。圧力容器16bの上部のガス空間には、窒素ガスが、アキュムレータ15の空化が開始される前に例えば140バールの圧力が形成されるように、高い圧力でガスボトル21から供給される。圧力容器16bは、該圧力容器から外側供給パイプ110に延びている立ち上がり管17を有する。立ち上がり管17と接続して、スロットル121が配置されている。スロットル121の機能は、圧力容器16aの水が最初に空にされ、その後スロットルを通して圧力容器16bの空化が開始できるように、水のための十分に大きい流れ抵抗を与えることである。
圧力容器16aは、ヒューム及び煙ガスを清浄化するために使用され、そして圧力容器16bは水滴及び窒素ガスを含んで成る極めて微細に分割されたミストを与えるために使用される。
第１図に従う装置は、部屋100の天井のレベル近くに配置された煙検出器111からの信号によって作動される。この信号は、ガスボトル21と圧力容器16'、16a、16bとの間に配置されたソレノイド弁109を開かせる。この装置のスプリンクラ200、300は、例えば、WO92/15370及びWO/1677に開示された圧力バランス型のもの、或いは熱により放出される（released）型のものであってもよいことが考えられる。弁109が信号により開放されると、窒素ガスが圧力容器16'、16bに供給され、該圧力容器において例えば140バールの初期圧力が形成される。この圧力は、圧力容器16'、16bの上部において該圧力容器のガス空間に形成される。圧力容器16'及び16b中のガス空間は該圧力容器の容積の約20％を構成する。第２図参照。窒素は、圧力容器16'、16aから水を追い出すための推進剤ガスとして機能する。圧力容器16aは水のための立ち上がり管を持っていないことにより、水の凍結は起こり得ず、その代わりに圧力容器16aはガスボトル21からの圧力により積極的に（positively）水を空にされる。圧力容器16aの水が空にされた後、ガスは開口130aを経由して外側供給パイプ110に流れ始め、同時に圧力容器16bからの水が該圧力容器中の圧力によりスロットル121を経由してダクト131aに流れそして該ガスに混合される。圧力容器16aを通ってくるガスの量対圧力容器16bからくるガスの量の比は例えば、300:1、適当には10:1〜500:1の範囲にある。これは噴霧ヘッド１、２から非常に微細なミストを発生させる。圧力容器16bの上部におけるガス圧力は水を最初に外側供給パイプ110に流れさせる圧力である。
圧力容器16aが空になるのと同時に又はそれより或る時間遅れて、圧力容器16'が空になり、その結果水が立ち上がり管17'の供給開口19'及び側部開口18'を通って流入する。圧力容器16'を空にすると、その水レベルは下がり、その結果としてガスのための圧力容器のガス空間の容積は増加する。立ち上がり管17'を去るガス／水の割合は圧力容器16'中の水レベルの位置に基づいて決定される。まず初めに、側部開口18'及び供給開口19'はスロットル20を通って立ち上がり管17'に水のみを与える。ガスは消火の初めには消火液中に混合されるべきではない。何故ならば、その場合には吸引開口６、７、67a'、67b'において最初に必要とされる吸引は達成されないからである。水は煙ガス又はヒュームの吸引及び浄化のために使用され、同時に火は冷却される。水レベルが側部開口18'のレベルに達し、そして例えば１〜31の水が圧力容器16'から噴霧されると、窒素ガスが側部開口18'を通って流れるにつれて水への窒素ガスの混合が始まる。次いでガス圧力は140バールより相当低い値に下がった。圧力容器16'中のガス圧力は比較して相当下がったので、例えば10〜20μｍの小さな液滴（small  droplets）を得るのに必要なガスの量は比較的大きい。液滴寸法（drop  size）は残りのパラメーターが不変に保たれているならば圧力の降下とともに増加する。ガスが消火液に混合されるという事実にもかかわらず、より大きな速度を持つ小さな液滴が得られ、そして吸引開口６、７、67a'、67b'は消火の初めに生成された強い初期吸引により所望のように機能することができ、その結果噴霧開口４、５、45a'、45b'から吸引開口6,7、67a'、67b'への媒体の流れが起こる。圧力容器16'の空化は、弁109及び160が閉じられないならば該圧力容器の水が完全に空になるまで続けられる。
側部開口18'において立ち上がり管17'の外側区域から内側区域への、比較的大きな圧力差p1−p2が形成される。第３図参照。例えば50バールのオーダーであることができるこの圧力差は、圧力容器16'の水レベルが側部開口18'より下のレベルに下がったとき、窒素ガスを開口18'中に有効に流入させる。ガスが側部開口18'に有効に流入することができることにより、結果として、消火の終わりに、噴霧ヘッド1a'、2a'、1b'、2b'、200、300から排出された噴霧の非常に小さな、例えば10〜20μｍのそして10μｍ未満すらの液滴寸法を得ることが可能である。ガスの混合は有効であるので、少量の水で十分であろう。
側部開口はもちろん立ち上がり管17'の異なる高さに配置することができ、それにより、側部開口の高さ位置及び寸法により、空化プロセス期間中消火媒体の所望の液滴寸法及びコンシステンシーを達成することが可能である。この際スロットルは最下部側部開口より下に配置され、それにより側部開口のすべてにおいて大きな圧力差が得られ、これは液体中にできるかぎり多くの量のガスを混合しようとする試みにおいて有利である。しかしながら、側部開口をスロットル20'より上及び下の両方に設けうることが考えられる。しかしながら、スロットル20'は最上部側部開口より下に配置され、それによりより大きな圧力差が少なくともこの側部開口において得られ、水レベルがこの開口の高さレベルに下がったときガスが該側部開口に流入するのを誘発することは重要である。
側部開口18'の直径に比べて十分に小さな直径d2を有する開口によりスロットル20'が形成されるならば、圧力差p1−p2は非常に大きくなり、液体は側部開口を通って流入することができる。側部開口の直径は好ましくは0.5〜5mm、最も好ましくは１〜3mmである。第１図の態様では、側部開口は2mmの直径を有する。
圧力容器16'中の立ち上がり管17'は側部開口18'及びスロットル20'を必ずしも必要としない。
パイプネット３によって、床に沿って床下張り23における反対方向に吹き抜ける（sweeping）媒体の２つの流れが形成され、そしてパイプシステム3a'、3b'によって、部屋100の上部におけるヒューム吸引も引き起こされる。これは以下に説明するであろう。
煙検出器111が駆動ユニット14に信号を与えた後第１図の装置が作動されると、噴霧ヘッド200、300、1a'、2a'、1b'、2b'は最初窒素添加なしでミスト状液体噴霧を噴霧し始める。噴霧ヘッド1a'、2a'、1b'、2b'は、パイプシステム3a'及び3b'の中間区域に沿って噴霧し、その結果最初に清浄化された（煙ガス及びヒュームから清浄化された空気）及び後に窒素ガスを含有する水ミストが噴霧開口45a'、45b'から排出される。噴霧ヘッド１、２はパイプシステム３の中間部分12、13に沿って噴霧し、その結果最初清浄化された空気が噴霧開口４、５から噴霧され、その後ミストが噴霧開口４、５から排出される。噴霧ヘッド1a'、2a'、1b'、2b'、１、２が噴霧すると同時に、それらはそれらの後ろに強い吸引を引き起こし、そしてそれぞ吸引開口67a'、67b'及び６、７において吸引が引き起こされる。ヒュームは吸引開口に吸引され、そして噴霧ヘッドからミスト状噴霧において吸収される。これらの吸収されたヒュームは、パイプシステム3a'、3b'及びパイプネット３において消火媒体中に吸収されてとどまる。パイプシステム3a'、3b'及びパイプネット３がヒューム及び煙ガスを吸い込んだことのの結果として、部屋100内の空気は、ヒューム及び煙ガスがなんらの損害（samages）及び損傷（harm）を引き起こさないように有効にヒューム及び煙ガスから清浄化される。
ヒューム残留物（fume  residues）を集めるために、中間パイプ部分12、13は、他の真っすぐなパイプ部分に凹んだ空間（recessed  spaces）（示されていない）を有するのが好ましい。これらの空間は噴霧ヘッド１、２の圧力側に配置される。パイプシステム3a'、3b'は、下部に、第５図及び第６図に示されそして参照番号200'''及び200''''により示され種類の収集容器（collecting  receptacle）を有することができる。
圧力容器16a、16b、16'の消化液が空にされると、部屋100及び床下張り23はヒューム及び煙ガスから清浄化され、床下張りは窒素ガスを含有する消火媒体ミストで満たされ、そして部屋、特にその下部は、しばらくすると床に向かって沈むミスト状噴霧（mist−like  spray）で満たされる。消火媒体中の水により、床下張り23における消火媒体ミスト及び床レベル24付近の消火媒体ミストは比較的重く、そして床下張り23に噴霧された消火媒体ミスト及び床より上の消火媒体ミストは、最初はそれぞれ床下張りに及び部屋の床レベルに残り、くすぶっている火を消す。典型的には数分の期間の後、水はゆっくりと降下し、そして窒素ガスが水から放出され、それは空気より軽いので部屋の中で上昇し始める。窒素ガスが上昇するとき、窒素ガスは、その途中で、場合により部屋の中にまだくすぶっているすべての場所の火を消す。窒素ガスがコンピュータ101、102に沿って上昇するように煙突として機能する。“煙突効果″により、窒素ガスはコンピュータ101、102に入るであろうということは非常に興味深い。窒素ガスは開口103〜105を通ってコンピュータ101、102に流れる。窒素ガスがコンピュータ101、102に入りそしてそれらの高さに沿って上昇するにつれて、すべての可能なくすぶっている火はコンピュータの内側で消される。
このシステムの操作は、上記に従って下記のように説明することもできる。
1.先ず最初の段階で、ヒューム及び煙ガス及び熱は、ノズル１、２、1a'、1b'、2a'、2b'を通して高い圧力で水のみを噴霧することにより部屋から吸引される。水が噴霧されると、強い吸引効果が生じ、そしてパイプネット３及びパイプシステム3a'、3b'に吸引されたヒュームは、水ミストを通過しなければならず、これはパイプネット及びパイプシステムにおいて浄化される。水ミストのみが、即ち窒素なしで、パイプネットを通して噴霧されそしてそれが少なくとも１つのエルボーパイプを通過しなければならない場合に、ミストは再び水に変わり、これはタンク（示されていない）に集められるか又は下水管（示されていない）に押し込まれ（forced  down）、かくして汚染された水が鋭敏な電子装置を含む部屋100に入るのが防止される。パイプネット及びパイプシステムにおけるネット又はメッシュ（示されていない）は、エルボーパイプ（曲がったパイプ）と同じ効果を生じさせて消火ガスを含むヒュームが部屋及び床下張り空間に噴霧されるのを防止することができる。かくして清浄化された空気（煙ガス及びヒュームがなくそして水がない）が排気開口４、５、45a'、45b'を通してパイプネット及びパイプシステムから噴霧される。
2.ガスが水ミストに供給されそしてアキュムレータ15及び15'が使用される場合に、水滴はさらに分割され、高い速度を達成しそして水に再び変わることなくエルボーパイプを通って行くことができる。この場合に、ガスと混合された消化液はパイプネット３及びパイプシステム3a'、3b'から現れることができそして火災を消す。
3.床下張り23における消火は、水ミストをガスと混合することにより引き起こされ、これはガス／水混合物を空気より重くする。圧力も床下張りにおいて増加され、そして十分な濃度が達成されると、ガス／水混合物は空気入り口103、105を経由してコンピュータへと上昇する。１つの理由は窒素／水混合物は部屋の上の方の温度より冷たく、かくして混合物はより暖かい部屋へと上昇するということでもある。コンピュータ又はデバイスが高ければ高い程消火は速いことが試験により示された。煙突効果はより高いデバイスの場合により大きい。
かくして第１図のシステムは、簡単に言えば、水ミストを噴霧することにより煙は吸引されそして清浄化され、その後ミストの組成は相対的に大量の窒素ガスと非常に少量の水を含有するミストを噴霧することにより変えられるような方式で機能する。ミストの水成分は窒素ガスを床レベルに向けて下へと強制する。水が更に降下すると、窒素ガスはミストら分離されそして上昇し、これは場合によりまだくすぶっているどんな火も消火する。この装置を操作するのに電気は必要ではなく、これは大きな利点である。何故ならば、電気は火災がある場合に必ずしも使えないからである。
本発明は、前記においては１つの実施例のみに関して説明された。本発明はその詳細にかんしては請求の範囲内で多くの方法で変えることができることが指摘される。かくして例えば、パイプシステム及びパイプネットの寸法及び形状は変わることができ、噴霧ヘッドの数は変わることができ、噴霧開口及び吸引開口の数は変わることができる。中間パイプ部分及び中間パイプ区域の噴霧開口及び吸引開口の数は例えば２〜20であることができる。中間パイプ部分は、特にもし中間パイプ部分が長ければ、大きな浸透能力を有する微細に分割された水ミストの形態の消火媒体を発生させることができそして噴霧ヘッド付近における同時的吸引の能力のあるようなタイプの１つより多くの噴霧ヘッドを有し得ることも考えられる。これらの噴霧ヘッドを、お互いの後の適当な距離のところに配置しそしてそれらを同じ方向に噴霧するように配列することにより、微細に分割された水ミストの強化が該吸引により達成される。１つの噴霧ヘッド又はそれより多くの噴霧ヘッドを細長い第１パイプ部分及び細長い第２パイプ部分に配置させていてもよく、該噴霧ヘッドは中間部分における１つ又は複数の噴霧ヘッドを補充又は代替するものであるということも考えられる。第１の細長いパイプ区域は、第２の細長いパイプ区域に必ずしも平行に向けらる必要はない。しかしこのような構造は簡単であり、部屋の非常に小さな空間をふせぎ、そして良好な結果を生じさせる。液圧式アキュムレータを有する消火媒体源が使用される場合には、別法として、スロットルは、例えば立ち上がり管の最下部端部における立ち上がり管のパイプ壁に作られた開口として構成することができる。立ち上がり管の側部開口の数は、図に示された数よりはるかに大きくしてもよい。１つのみの側部開口があることも考えられ得る。部屋又は空間の上部における吸引ユニット、即ちパイプシステムは、上端に吸引開口を、そしてエルボー（水が部屋に流れ出るのを防止する）及び下端における噴霧開口を備えた鉛直パイプのみであることができる。しかしながら、より均一な分布を達成するために、天井のレベルにより長いパイプをそして床レベルにより低いパイプを使用することは好ましい。小さな部屋に関しては、部屋に１つのパイプで十分であり、より大きな部屋は、パイプの各端部において２つの噴霧ヘッドを有する２つの又はそれより多くのパイプを必要とする。本発明は、液圧式アキュムレータなしで駆動源（drive  source）により実現されうることが指摘されるべきである。しかしながら、請求の範囲の開示及び第１図に従う液圧式アキュムレータは、特に本発明において必要とされるこのような微細に分割された液体ミストを生成させるのに特に適している。
【図３】
0003553971.tif 000002
【図１】
0003553971.tif 000003
【図２】
0003553971.tif 000004
【図４】
0003553971.tif 000005
【図５】
0003553971.tif 000006
【図６】
0003553971.tif 000007